(57)【要約】【課題】  製品寿命を長くするとともに、従来よりも小さく形成できるピアスキャッチを提供する。【解決手段】  副装飾体２に挿入して固定されるポスト保持部材９が、主装飾体１を固定したピアスポストＰが貫通する筒部１０と、この筒部１０から先端に向かって伸びるとともに、筒部１０の円周方向に間隔が保たれた複数の可撓部１１と、上記各可撓部１１の内側に突出する突部１４と、上記可撓部１１の外周にはめられる弾性リング部材１７とを備えている。そして、上記複数の可撓部１１に設けられた突部１４が相まって構成する円の内径は、上記ピアスポストＰの外径よりも小径にされるとともに、上記弾性リング部材１７は可撓部１１に対して、それら可撓部１１を締め付ける方向の弾性的な収縮力を発揮する。【選択図】  図１
2018171293.tif 000002
【特許請求の範囲】
【請求項１】
主装飾体を固定したピアスポストを保持するピアスキャッチであって、
副装飾体と、
この副装飾体内に固定されたポスト保持部材とを備え、
上記ポスト保持部材は、
根元側に形成された筒部と
上記筒部から先端に向かって伸びるとともに、筒部の円周方向に間隔を保った複数の可撓部とを備え、
上記各可撓部には内側に突出する突部が形成されるとともに、これら可撓部の外周に弾性リング部材がはめられてなり、
上記複数の可撓部に設けられた突部が相まって構成する円の内径は、上記ピアスポストの外径よりも小径にされるとともに、
上記弾性リング部材は可撓部に対して、それら可撓部を締め付ける方向の弾性的な収縮力を発揮するピアスキャッチ。
【請求項２】
上記弾性リング部材は、上記可撓部の突部にほぼ対応する位置にはめられた請求項１に記載のピアスキャッチ。
【請求項３】
上記可撓部の長手方向に複数の上記突部が設けられた請求項１又は２に記載のピアスキャッチ。
【発明の詳細な説明】
【技術分野】
【０００１】
この発明は、ピアスポストを着脱可能に保持するピアスキャッチに関する。
【背景技術】
【０００２】
最近は、ピアスポストＰに固定した主装飾体１以外に、ピアスキャッチＣ側にも真珠などの副装飾体２を設け、全体的に豪華でボリューム感のあるピアスが求められている。
図７は、従来のピアスＰおよびピアスキャッチＣを示したものでである。
そして、従来のピアスキャッチＣは、真珠などからなる副装飾体２にポスト保持部材３を組み込んだものであるが、このポスト保持部材３の構成は次の通りである。
【０００３】
上記ポスト保持部材３は、根元側に、ピアスポストＰが貫通する筒部４を設け、この筒部４から先端側に伸びるとともに、筒部４の円周方向に間隔を保った複数の弾性片５が設けられている。
これら弾性片５の先端内側には突部６を設け、これら突部６で構成される内径が、ピアスポストＰの外径よりもわずかに小さくしている。
したがって、ピアスポストＰが複数の突部６の内側に挿入されたときには、弾性片５は突部６の高さ分だけ反り返りながら弾性力を発揮するとともに、上記突部６がピアスポストＰに形成した凹部７に対応したとき、弾性片５がその弾性力で突部６を凹部７にはめ入れ、ピアスポストＰがピアスキャッチＣから抜けないようにする。
【０００４】
そして、弾性片５が持つ弾性力のうち、突部６に作用する弾性力が、ピアスポストＰに対する保持力になる。しかし、弾性片５の長さが長くなればなるほど、その反り返り時の反力が弾性片５の全体に分散され、突部６に直接作用する弾性力が弱いものになる。
【先行技術文献】
【特許文献】
【０００５】
【特許文献１】実用新案登録第３１２８０１９号公報
【発明の概要】
【発明が解決しようとする課題】
【０００６】
従来のピアスキャッチＣでは、ピアスポストＰをポスト保持部材３に挿入したり、そこから抜き取ったりするたびに、弾性片５に交番的な荷重が作用する。このように交番的な荷重が作用すると、弾性片５が短時間で開き勝手になり、突部６に作用する弾性力がさらに弱くなってしまう。
このように、突部６に作用する弾性力が弱くなれば、ピアスポストＰに対するポスト保持部材３の保持力も弱くなり、ややもするとピアスポストＰからポスト保持部材３が外れ、副装飾体２が脱落したりする。
【０００７】
このようなときには、副装飾体２からポスト保持部材３を取り外して、ポスト保持部材３だけを交換することも考えられる。しかし、副装飾体２が高価な真珠などの場合には、それがポスト保持部材３から脱落して見失ったりしないように、副装飾体２とポスト保持部材３の筒部４とをかなり強固に結合するのが通常である。このように強固に固定されている場合には、副装飾体２を傷つけずに、ポスト保持部材３のみを交換するのはほとんど不可能に近かった。
そのため、副装飾体２の価値にかかわらず、ポスト保持部材３が製品寿命を決めてしまうという問題があった。
【０００８】
一方、弾性片５の弾性力を強く保つために、個々の弾性片５の厚さを厚くすることも考えられる。しかし、弾性片５の厚さを厚くすると、その分、副装飾体２の大きさを、必要以上に大きくせざるを得なくなる。特に、高価な真珠などで副装飾体２を構成するときには、大幅なコストアップにつながるので、それも許されないのが現状である。
【０００９】
この発明の目的は、製品寿命を長くできるピアスキャッチを提供することである。
【課題を解決するための手段】
【００１０】
第１の発明は、副装飾体に挿入して固定されるポスト保持部材が、主装飾体を固定したピアスポストが貫通する筒部と、この筒部から先端に向かって伸びるとともに筒部の円周方向に間隔が保たれた複数の可撓部と、上記各可撓部の内側に突出する突部と、上記可撓部の外周にはめられる弾性リング部材とを備えている。そして、上記複数の可撓部に設けられた突部が相まって構成する円の内径は、上記ピアスポストの外径よりも小径にされる。さらに、上記弾性リング部材は、可撓部に対して、それら可撓部を締め付ける方向の弾性的な収縮力を発揮することに特徴がある。
【００１１】
上記弾性リング部材は、Ｏリングはもちろん、コイルバネや、Ｃリング等のいずれであってもよいし、円筒にしたものを用いてもよい。
要するに、各可撓部に対して、その外周から締付方向の弾性力を発揮するものであれば、それらの材質や形状はどのようなものであってもよい。
【００１２】
第２の発明は、上記弾性リング部材が、上記可撓部の突部にほぼ対応する位置にはめられたことに特徴がある。
第3の発明は、上記可撓部の長手方向に複数の上記突部が設けられたことに特徴がある。
【発明の効果】
【００１３】
第１の発明によれば、可撓部にそれを開く方向の力が作用したとき、可撓部には弾性リング部材の弾性的な収縮力が反力として作用するので、従来の板バネ状の弾性片とは異なり、弾性力を発揮する機能の劣化がほとんどない。また、弾性力が多少劣化したとしても、ポスト保持部材の保持力にはほとんど影響しない。
したがって、可撓部が多少変形したとしてもピアスポストを保持する保持力にはほとんど影響しない。このように可撓部が多少開き勝手に塑性変形したとしても、ピアスキャッチは、その機能が損なわれることがなく、製品寿命を長く保つことができる。
このようにピアスキャッチの製品寿命を長く保てるので、例えば、高価な真珠などを副装飾体として用いたとしても、その真珠などを無駄にすることがなくなる。
【００１４】
また、従来のような弾性片の弾性力を強く保つために、個々の弾性片の厚さを厚くする必要がない。その分、可撓部を薄く形成してもかまわないので、副装飾体の大きさを、必要以上に大きくする必要がない。このように、副装飾体の大きさに左右されないので、コストを抑えることができるとともに、デザインの幅を広げることができる。
【００１５】
第２の発明によれば、弾性リング部材を可撓部の突部に対応する位置に設けたので、弾性リング部材の弾性力がポスト保持部材の突部に直接作用する。したがって、弾性リング部材の弾性力が多少劣化したとしても、ピアスポストの保持力にほとんど影響しない。
【００１６】
第３の発明によれば、可撓部に複数の突部を設けることによって、ピアスポストの保持位置を段階的に変えられるので、耳の厚さにおける個人差に応じて、耳の挟み幅を変えることができる。
【図面の簡単な説明】
【００１７】
【図１】この第１実施形態における、挿入前のピアスポストの側面図とともに、ポスト保持部材が挿入されたピアスキャッチを示した断面図である。
【図２】この第１実施形態において、ピアスポストが挿入されたポスト保持部材を示した断面図である。
【図３】この第２実施形態における、ピアスキャッチを示した断面図である。
【図４】この第３実施形態における、ピアスキャッチを示した断面図である。
【図５】この第４実施形態において、ピアスポストが挿入されたポスト保持部材を示した断面図である。
【図６】この第５実施形態において、ピアスポストが挿入されたポスト保持部材を示した断面図である。
【図７】従来のピアスポストが挿入されたピアスキャッチを示した断面図である。
【発明を実施するための形態】
【００１８】
図１及び２に、この発明のピアスキャッチＣの第１実施形態を示す。
図１に示すように、この第１実施形態に係るピアスは、主装飾体１と、この主装飾体１に固定したピアスポストＰと、このピアスポストＰの先端を保持するピアスキャッチＣとからなる。
なお、ピアスポストＰ側には、真珠などの装飾品からなる主装飾体１が設けられている。
【００１９】
上記ピアスキャッチＣは、副装飾体２にポスト保持部材９を固定しているが、その具体的な構成は次の通りである。
上記副装飾体２には組み込み穴８が形成されており、その組み込み穴８にピアスポストＰを保持するポスト保持部材９が組み込まれている。上記組み込み穴８の内周とポスト保持部材９の外周との間には、隙間が形成される寸法関係を保っている。
【００２０】
また、上記ポスト保持部材９は、根元側にピアスポストＰが貫通する筒部１０が設けられ、この筒部１０から先端側に伸びるとともに、筒部１０の円周方向に間隔を保った複数の可撓部１１が設けられている。
【００２１】
そして、この筒部１０と組み込み穴８との間には接着剤１３が充填され、この接着剤１３を介して副装飾体２とポスト保持部材９とが強固に固定されている
なお、上記筒部１０の根元には、組み込み穴８よりも大きなフランジ１２が設けられている。このフランジ１２は、ポスト保持部材９を組み込み穴８に組み入れる際に、適切な組み込み深さを保持できるようにポスト保持部材９の挿入を規制するとともに、接着剤１３が外部に漏れることを防止している。
【００２２】
一方、上記筒部１０から先端側に伸びる複数の可撓部１１には、図２に示すように、内側に突出する突部１４が設けられている。そして、これら突部１４の内端が相まって形成する円の内径は、ピアスポストＰの外径よりもわずかに小さくしている。
したがって、ピアスポストＰが挿入されたとき、ピアスポストＰの先端が可撓部１１の突部１４に当接して、複数の可撓部１１をその突部１４の高さ分だけ外側に撓ませる。
【００２３】
さらに、この第１実施形態では、各可撓部１１の外側を凹ませてなる溝部１６を形成しているが、この溝部１６と上記突部１４とを、可撓部１１の裏表において対応させている。
そして、上記溝部１６には、Ｏリングからなる弾性リング部材１７をはめ込むようにしている。このようにして溝部１６にはめ込まれた弾性リング部材１７は、上記突部１４に対して弾性的な締付力を発揮する。
【００２４】
したがって、ピアスポストＰが挿入され、複数の可撓部１１が外側に反り返るとき、この広がりに反して弾性リング部材１７の弾性的な締付力が働くようになっている。
そして、上記突部１４がピアスポストＰに形成した凹部７に対応したとき、可撓部１１が弾性リング部材１７の弾性的な締付力で突部１４を凹部７にはめ入れ、ピアスポストＰがピアスキャッチＣから抜けないようにしている。また、使用者は、この凹部７に上記突部１４がはまったとき、クリック感が得られる。
【００２５】
なお、複数の可撓部１１の先端には、筒の中心軸線に向けて突出させたストッパ部１５が設けられている。
このストッパ部１５は、ピアスポストＰをポスト保持部材９に挿入したとき、ピアスポストＰの先端が当接するものである。
【００２６】
次に、ポスト保持部材９の製造方法を説明する。
例えば、ポスト保持部材９の材料に金属を用いる場合には、金属製の板部材からピアスポストＰが挿入できる内径を備えたパイプを形成する。
そして、上記パイプの一方の端部には、それらを外側に開いてなるフランジ１２を形成するとともに、このフランジ１２の曲率を、副装飾体２の外周の曲率と同じにしている。
【００２７】
なお、このフランジ１２は、パイプの先端をローラリベッタなどで押圧して一体的に形成している。このように押圧して一体的に形成されると、パイプとフランジ１２との連結部分はアールに形成されるので、ピアスポストＰをポスト保持部材９に挿入する際には、ガイドとして機能する。
また、上記フランジ１２の径は組み込み穴８の開口径よりも大きく形成されているので、副装飾体２との接着面積を増やすことができる。さらに、このフランジ１２が、組み込み穴８の開口の縁を覆うので、装飾品として見た目にも美しく仕上げることができる。
【００２８】
一方、上記パイプの他方の端部側は、その先端を押圧してストッパ部１５を形成するとともに、そのパイプの外周にロールかしめを施して溝部１６を形成している。
このようにして溝部１６を形成するためにロールかしめを施せば、それに対応した裏側には突部１４が自動的に形成される。
【００２９】
そして、上記のようにしたパイプであって、フランジ１２から所定の長さ部分を筒部１０とするとともに、この筒部１０から先端に向かって、筒部１０の円周方向に所定の間隔を保って、複数のスリットを形成し、これらスリットに挟まれた部分を可撓部１１としている。
【００３０】
この第１実施形態によれば、可撓部１１にそれを開く方向の力が作用したとき、可撓部１１には弾性リング部材１７の弾性的な収縮力が反力として作用するので、従来の板バネ状の弾性片とは異なり、弾性力を発揮する機能の劣化がほとんどない。また、弾性力が多少劣化したとしても、ポスト保持部材９の保持力にはほとんど影響しない。
したがって、可撓部１１が多少開き勝手に塑性変形したとしても、ピアスキャッチＣとしての機能が損なわれることがなく、製品寿命を長く保つことができる。
このように製品寿命を長く保てるので、例えば、高価な真珠などを副装飾体２として用いたとしても、その真珠などを無駄にすることがなくなる。
【００３１】
また、可撓部１１に弾性力を持たせる必要がないので、ポスト保持部材９を作成する板部材の厚さを厚くする必要がない。可撓部１１を薄く形成してもかまわないので、副装飾体２の大きさを、必要以上に大きくする必要がない。このように、大きな副装飾体２を用いる必要がないので、コストを抑えることができるとともに、デザインの幅を広げることができる。
【００３２】
さらに、弾性リング部材１７を可撓部１１の突部１４に対応する位置に設けたので、弾性リング部材１７の弾性力がポスト保持部材９の突部１４に直接作用する。したがって、ポスト保持部材９の保持力を強く保つことができる。
【００３３】
なお、第１実施形態では、副装飾体２として真珠を用いたが、必ずしも真珠を用いなくてもよい。例えば、ガラス球でも、金属製の球体などでもよい。また、副装飾体２は球形である必要もない。副装飾体２はそれにポスト保持部材９を組み込めれば、その材質や形態はどのようなものでもよい。
【００３４】
また、この第１実施形態では、この筒部１０と組み込み穴８とを接着剤１３で固定しているが、筒部１０と組み込み穴８とがしっかり固定できれば、その固定方法はどのような方法でもかまわない。例えば、筒部１０と副装飾体２とを、ネジなどで機械的に止めても良い。
【００３５】
次に第２実施形態について説明をする。
図３に示す第２実施形態は、弾性リング部材１８を円筒の一端を閉じて袋状にしたもので、その他の構造は、第１実施形態と同じである。
【００３６】
この第２実施形態では、弾性リング部材１８を、複数の可撓部１１の外周表面を隙間無く覆う袋状にしているいので、Ｏリング部材と比べ、弾性リング部材１８が溝部１６から外れたりすることがほとんどない。例えば、ポスト保持部材９を組み込み穴８に挿入した際に、弾性リング部材１８を袋状にしているので、組み込み穴８の内壁に弾性リング部材１８が引っ掛かる等して、外れることがなくなった。
なお、この第２実施形態では、弾性リング部材１８を袋状にしているが、両端を開口させて円筒のままにして用いても良い。
【００３７】
次に第３実施形態について説明をする。
図４に示す第３実施形態は、弾性リング部材１９としてＣリングを用いたもので、その他の構造は、上記第１実施形態と同じである。
【００３８】
次に第４実施形態について説明をする。
図５に示す第４実施形態は、可撓部２０の内側に設けられる突部２１，２２を複数設けたもので、その他の構造は、第２実施形態と同じである。
【００３９】
この第４実施形態では、複数の可撓部２０には、内側に突出する突部２１，２２が可撓部２０の軸方向に２箇所設けられている。そして、可撓部２０の基端側を第１突部２１とし、可撓部２０の先端側を第２突部２２としている。
また、ピアスポストＰには、これら突部２１，２２に対応してピアスポストＰの先端側から第１凹部２３と第２凹部２４とが形成されている。
【００４０】
したがって、ピアスポストＰが挿入されたとき、ピアスポストＰの先端は、まず第１突部２１を乗り越える。そして、第１突部２１が第１凹部２３に対応したとき、可撓部２０が弾性リング部材１８の弾性的な締付力で第１突部２１を第１凹部２３にはめ入れる。
さらに、ピアスポストＰを深く挿入したとき、ピアスポストＰの先端は、第２突部２２を乗り越える。そして、第２突部２２が第１凹部２３に対応するとともに、第１突部２１が第２凹部２４に対応して、可撓部２０が弾性リング部材１８の弾性的な締付力で第１突部２１を第２凹部２４に、第２突部２２を第１凹部２３にはめ入れる。
【００４１】
このように可撓部２０に複数の突部２１，２２を設けることによって、ピアスポストＰの保持位置を段階的に変えられるので、耳の厚さにおける個人差に応じて、耳の挟み幅を変えることができる。
また、複数の位置で弾性リング部材１８の弾性的な締付力を発揮させられるので、一箇所で弾性的な締付け力を発揮させるよりもピアスポストＰへの保持力が増し、ピアスキャッチＣからピアスポストＰが外れにくくなった。
なお、この第４実施形態では、弾性リング部材１８を袋状にしているが、両端を開口させた円筒にして用いても良いし、複数の溝に１又は複数のＯリングをはめ込んでも良い。
【００４２】
次に第５実施形態について説明をする。
図６に示す第５実施形態は、可撓部２５の内側に設けられる突部２６の形状を変形させるとともに、弾性リング部材２８を円筒にしたもので、その他の構造は、第１実施形態と同じである。
【００４３】
この第５実施形態では、可撓部２５には、図６に示すように、内側に突出する突部２６が、可撓部２５の軸方向に長さを備えるとともに幅方向に湾曲させた形状になっている。また、この突部２６の表裏に対応する位置であって、各可撓部２５の外側には溝部２７が形成されている。
そして、上記溝部２７には、この溝部２７を覆うように円筒の弾性リング部材２８がはめ込まれている。このようにして溝部２７にはめ込まれた弾性リング部材２８は、上記突部２６に対して弾性的な締付力を発揮する。
【００４４】
一方、ピアスポストＰには、上記突部２６に対応してピアスポストＰの先端側に凹部２９が設けられる。
上記突部２６が可撓部２５の軸方向に長さを備えるとともに幅方向に湾曲させた形状になっているので、上記突部２６とピアスポストＰとの接触面積が広くなる。このように接触面積が広くなれば、ピアスポストＰへの保持力が増し、ピアスキャッチＣからピアスポストＰが外れにくくなる。
なお、この第５実施形態では、弾性リング部材２８を円筒にしているが、円筒の一端を閉じて袋状にしても良い。
【００４５】
上記の各実施形態において、上記フランジ１２は、パイプの先端を押圧して一体的に形成しているが、フランジとなる部材をロウ付けなどによってパイプに取り付けても良い。
また、上記の各実施形態において、ポスト保持部材９は金属製の材料を用いているが、弾性リング部材の弾性力を発揮させてピアスポストＰを保持できるものであれば、どのような材質であってもかまわない。例えば、樹脂製であっても良い。
【００４６】
さらに、各実施形態において、上記ピアスキャッチＣに使用するピアスポストＰは、ピアスポストＰの先端側の所定位置に１ないし複数の凹部が設けられているが、凹部が設けられていないピアスポストＰにも使用することができる。
このような凹部がないピアスポストＰを保持する場合には、弾性リング部材の弾性力を突部にそのまま挟持力として発揮させて、ピアスポストＰを保持するようにしている。
【産業上の利用可能性】
【００４７】
この発明は、ピアスポストを保持するピアスキャッチに最適である。
【符号の説明】
【００４８】
Ｐ…ピアスポスト、１…主装飾体、Ｃ…ピアスキャッチ、２…副装飾体、９…ポスト保持部材、１０…筒部、１１，２０，２５…可撓部、１４，２１，２２，２６…突部、１５…ストッパ部、１６，２７…溝部、１７，１８，１９，２８…弾性リング部材
【図１】
2018171293.tif 000003
【図２】
2018171293.tif 000004
【図３】
2018171293.tif 000005
【図４】
2018171293.tif 000006
【図５】
2018171293.tif 000007
【図６】
2018171293.tif 000008
【図７】
2018171293.tif 000009